(57)【要約】【解決手段】本発明には、分割型電磁石が開示されており、前記分割型電磁石が、ハウジングと鉄心とを含み、ハウジングと鉄心とが分割型であり、鉄心にコイルが巻回された後、鉄心がハウジング内に固定され、ハウジングが円筒体又は楕円筒体であり、或いは、ハウジングの横断面が扇形のリング又は矩形のリングであり、該電磁石は、ハウジングと鉄心とが一体型である従来技術に比べると、コイルの巻回がより便利になる。なお、電磁石のハウジングの横断面が扇形のリングである場合には、いくつかの電磁石を組み合わせて電磁石ユニットを形成しており、スペースが限られている場合、該電磁石ユニットを用いて電磁吸引を達成することができる。【選択図】  図４
2019532491.tif 000002
【特許請求の範囲】
【請求項１】
ハウジングと鉄心とを含み、鉄心にコイルが巻き付けられた分割型電磁石であって、
前記ハウジングと前記鉄心とが分割型であり、前記鉄心にコイルが巻回された後、前記鉄心が前記ハウジング内に固定される、
ことを特徴とする分割型電磁石。
【請求項２】
前記ハウジングが円筒体又は楕円筒体であり、前記鉄心が前記ハウジングと同心の円筒体又は楕円筒体であり、
前記鉄心の底部に、径方向外向きに延びた底板が設けられており、前記底板が前記ハウジングの底部を覆って前記ハウジングの外方まで更に延びて取付座板を構成しており、
或いは、前記鉄心の底部に、径方向内向きに延びた取付座板が設けられており、
或いは、前記ハウジングの底部に、径方向外向きに延びた取付座板と径方向内向きに延びた底板とが設けられており、前記底板が前記鉄心の底部を覆う、
ことを特徴とする請求項１に記載の分割型電磁石。
【請求項３】
前記ハウジングの横断面が扇形のリング又は矩形のリングであり、前記鉄心が弧状又は矩形構造であり、前記ハウジングの底部に底板が設けられ、或いは、前記鉄心の底部に、前記ハウジングの底部を覆う底板が設けられている、
ことを特徴とする請求項１に記載の分割型電磁石。
【請求項４】
前記鉄心と前記ハウジングとの接続箇所にいくつかのネジ穴が設けられており、前記鉄心と前記ハウジングとがいくつかの螺子によって接続される、
ことを特徴とする請求項２又は３に記載の分割型電磁石。
【請求項５】
前記取付座板にいくつかの取付穴が設けられており、前記取付穴がネジ無しの孔である、
ことを特徴とする請求項２に記載の分割型電磁石。
【請求項６】
前記底板には、さらに、二つの取付用位置決め孔が対称的に設けられており、前記取付用位置決め孔がネジ無しの孔であり、
前記二つの取付用位置決め孔の間に一つの取付穴がさらに設けられており、前記取付穴がネジ無しの孔であり、
前記鉄心の底部における取付用位置決め孔に対応する位置には、それにつき合わせた位置決めピンが設けられており、前記位置決めピンがスリーブピンであり、前記鉄心がハウジング内に固定されると、前記位置決めピンが前記ハウジングの底部から突出する、
ことを特徴とする請求項３に記載の分割型電磁石。
【請求項７】
前記ハウジングの側面に線通し穴又は線通し溝が設けられており、前記コイルのターミナルが前記線通し穴又は前記線通し溝を通る、
ことを特徴とする請求項２又は３に記載の分割型電磁石。
【請求項８】
前記ハウジングの内壁及び前記鉄心の外壁には、係止溝が周方向に沿って設けられており、前記係止溝の位置が前記コイルの上端に対応しており、
前記鉄心にコイルが巻回されて前記ハウジング内に前記鉄心が固定された後、前記コイルの上端には、接着剤が流し込まれ、或いは、溶融したゴム、プラスチック、ナイロンが注入され、前記接着剤、ゴム、プラスチック又はナイロンが固まると、前記係止溝に係合されて、前記コイルが前記ハウジングと前記鉄心との間に固定される、
ことを特徴とする請求項７に記載の分割型電磁石。
【請求項９】
前記ハウジングの開口端の端縁には、前記コイルが前記鉄心の軸方向に沿ってずれることを防止するためのバッフル板が設けられている、
ことを特徴とする請求項２又は３に記載の分割型電磁石。
【請求項１０】
前記ハウジングの横断面が扇形のリング又は矩形のリングであるいくつかの電磁石を組み合わせて電磁石ユニットが形成される、
ことを特徴とする請求項３に記載の分割型電磁石。
【発明の詳細な説明】
【技術分野】
【０００１】
本発明は、電磁石に関し、特に、分割型電磁石に関する。
【背景技術】
【０００２】
従来技術における電磁石は、ハウジングと鉄心とを含み、鉄心にコイルが巻き付けられており、コイルに通電すれば磁力が発生する。しかし、そのハウジングと鉄心とが一体型構造である場合が多く、鉄心がハウジングの内部に固定されているので、鉄心へのコイルの巻回が非常に不便になる。
【０００３】
なお、電磁石のハウジングの形状は円筒体である場合が多く、例えば、出願番号がＣＮ２０１３１０７４１００８.９である特許において、電磁石のハウジングが筒状である。しかし、スペースが限られた場合には、例えば、電磁クラッチにおいて、噛み合いギアの周りに電磁石を設ける必要がある時、筒状ハウジングを有する電磁石は明らかに適用できない。
【発明の概要】
【発明が解決しようとする課題】
【０００４】
上記の問題点に鑑み、本発明は、鉄心へのコイルの巻回が不便であり、スペースが限られた場合には筒状ハウジングが適用できないという従来の電磁石の問題を解決するために、分割型電磁石を提供する。
【課題を解決するための手段】
【０００５】
上記目的に達するように、本発明の技術案は、以下のように実現される。
【０００６】
本発明には、分割型電磁石が提供されており、前記分割型電磁石が、ハウジングと鉄心とを含み、鉄心にコイルが巻き付けられており、前記ハウジングと前記鉄心とが分割型であり、前記鉄心にコイルが巻回された後、前記鉄心が前記ハウジング内に固定される。
【０００７】
また、前記ハウジングが円筒体又は楕円筒体であり、前記鉄心が前記ハウジングと同心の円筒体又は楕円筒体であり、前記鉄心の底部に、径方向外向きに延びた底板が設けられており、前記底板が前記ハウジングの底部を覆って前記ハウジングの外方まで更に延びて取付座板を構成し、或いは、前記鉄心の底部に、径方向内向きに延びた取付座板が設けられており、
又は、前記ハウジングの底部に、径方向外向きに延びた取付座板と径方向内向きに延びた底板とが設けられており、前記底板が前記鉄心の底部を覆うようにしてもよい。
【０００８】
また、前記ハウジングの横断面が扇形のリング又は矩形のリングであり、前記鉄心が弧状又は矩形構造であり、前記ハウジングの底部に底板が設けられ、或いは、前記鉄心の底部に、前記ハウジングの底部を覆う底板が設けられていてもよい。
【０００９】
また、前記鉄心と前記ハウジングとの接続箇所にいくつかのネジ穴が設けられており、前記鉄心と前記ハウジングとがいくつかの螺子によって接続されていてもよい。
【００１０】
また、前記取付座板にいくつかの取付穴が設けられており、前記取付穴がネジ無しの孔であってもよい。
【００１１】
また、前記底板には、さらに、二つの取付用位置決め孔が対称的に設けられており、前記取付用位置決め孔がネジ無しの孔であり、
前記二つの取付用位置決め孔の間に一つの取付穴がさらに設けられており、前記取付穴がネジ無しの孔であり、
前記鉄心の底部における取付用位置決め孔に対応する位置には、それにつき合わせた位置決めピンが設けられており、前記位置決めピンがスリーブピンであり、前記鉄心がハウジング内に固定されると、前記位置決めピンが前記ハウジングの底部から突出するようにしてもよい。
【００１２】
また、前記ハウジングの側面に線通し穴又は線通し溝が設けられており、前記コイルのターミナルが前記線通し穴又は前記線通し溝を通るようにしてもよい。
【００１３】
また、前記ハウジングの内壁及び前記鉄心の外壁には、係止溝が周方向に沿って設けられており、前記係止溝の位置が前記コイルの上端に対応しており、
前記鉄心にコイルが巻回されて前記ハウジング内に前記鉄心が固定された後、前記コイルの上端には、接着剤が流し込まれ、或いは、溶融したゴム、プラスチック、ナイロンが注入され、前記接着剤、ゴム、プラスチック又はナイロンが固まると、前記係止溝に係合されて、前記コイルが前記ハウジングと前記鉄心との間に固定されるようにしてもよい。
【００１４】
また、前記ハウジングの開口端の端縁には、前記コイルが前記鉄心の軸方向に沿ってずれることを防止するためのバッフル板が設けられていてもよい。
【００１５】
また、前記ハウジングの横断面が扇形のリングであるいくつかの電磁石を組み合わせて電磁石ユニットが形成されるようにしてもよい。
【発明の効果】
【００１６】
本発明の有益な効果は、以下の通りになる。本発明では、分割型電磁石が提供されており、分割型電磁石が、ハウジングと鉄心とを含み、ハウジングと鉄心とが分割型であり、鉄心にコイルが巻回された後、鉄心がハウジング内に固定され、ハウジングが円筒体であり、或いは、ハウジングの横断面が扇形のリングであり、該電磁石は、ハウジングと鉄心とが一体型である従来技術に比べると、コイルの巻回がより便利になる。なお、電磁石のハウジングの横断面が扇形のリングである場合には、ハウジングの横断面が扇形のリングであるいくつかの電磁石を組み合わせて電磁石ユニットを形成しており、スペースが限られている場合、該電磁石ユニットを用いて電磁吸引を達成することができる。
【００１７】
上記の説明は、本発明の技術案の概要に過ぎなく、本発明の技術手段をより明らかに理解して、明細書の内容に従って実施することができるように、並びに、本発明の上記および他の目的、特徴および利点をより容易に理解するために、以下、本発明の具体的な実施形態を例示する。
【図面の簡単な説明】
【００１８】
【図１】本発明の実施例一の電磁石の構造模式図である。
【図２】本発明の実施例一の電磁石の断面図である。
【図３】（ａ）、（ｂ）は、それぞれ、本発明の実施例二の電磁石のハウジングと鉄心の構造模式図である。
【図４】本発明の実施例二の電磁石の構造模式図である。
【図５】本発明の実施例二の電磁石の他の構造模式図である。
【図６】本発明の実施例二の電磁石の平面図である。
【図７】本発明の実施例二の電磁石の他の平面図である。
【図８】本発明の実施例二の電磁石の側面図である。
【図９】（ｂ）は、（ａ）における電磁石のＡ−Ａ線の断面図である。
【図１０】本発明の実施例二の電磁石を電磁クラッチに適用した時の断面図である。
【発明を実施するための形態】
【００１９】
以下の好ましい実施形態の詳細な説明を読むことにより、当業者にとって、様々な他の利点及びメリットは明らかになる。図面は、好ましい実施形態を例示するためのものだけであり、本発明を限定するものとして解釈されるべきではない。また、図面全体において、同じ部品には同じ符号が付されている。
【００２０】
以下、図面を参照して本発明の例示的な実施例をさらに詳しく説明する。本発明の例示的な実施例が図面に示されているが、本発明は、様々な形態で実現されてもよく、ここに記載の実施例によって限定されないことを理解すべきである。むしろ、これらの実施例は、本発明がよりよく理解され、本発明の範囲が当業者に全て伝えられるように提供されるものである。
【００２１】
［実施例一］
図１から図２に示すように、本発明の実施例一には、分割型電磁石が提供されており、前記分割型電磁石が、ハウジング１１と鉄心１２とを含み、鉄心１２にコイルが巻き付けられており、ハウジング１１と鉄心１２とが分割型であり、鉄心１２にコイルが巻回された後、鉄心１２がハウジング１１内に固定される。ハウジング１１と鉄心１２とが一体型である従来技術に比べると、コイルの巻回がより便利になる。
【００２２】
本発明の実施例一において、ハウジング１１が円筒体であり、鉄心１２がハウジング１１と同心の円筒体であり、鉄心１２の底部に、径方向外向きに延びた底板１３が設けられており、底板１３が延びてハウジング１１の底部を覆う。勿論、ハウジング１１が楕円筒体とされ、それに応じて、鉄心１２がハウジング１１と同心の楕円筒体とされてもよい（図示せず）。本発明の好ましい実施形態において、底板１３のハウジング１１の底部を覆う部位の厚さが、残りの部分の厚さよりも薄く、かつ、この部位には、底板１３をハウジングの底部に位置決めするための係止台が形成されている。勿論、これは単なるインロー位置決めの方法であり、具体的なニーズに応じて他の位置決め方法を使用することもできる。底板１３のハウジング１１の底部を覆う部位とハウジング１１の対応位置とには、いくつかのネジ穴が設けられており、鉄心１２にコイルが巻回された後、鉄心１２がいくつかの螺子１９によってハウジング１１内に固定される。勿論、鉄心１２をハウジング１１内に固定する目的を実現できれば、他の固定方法を使用してもよい。
【００２３】
ハウジング１１の側面に線通し穴１６又は線通し溝（図示せず）が設けられており、コイルのターミナル１８が線通し穴１６又は線通し溝を通る。線通し溝とは、ハウジング１１の開口端に開けられた切り欠きを指し、コイルのターミナル１８がこの切り欠き内に押し込まれて固定され、ターミナル１８が比較的に通り抜け易い。ターミナル１８が通り抜けられれば、線通し穴１６及び線通し溝の形状は、具体的なニーズに応じて設けてもよい。
【００２４】
ハウジング１１の内壁及び鉄心１２の外壁には、係止溝１７が周方向に沿って設けられており、係止溝１７の位置がコイルの上端に対応している。鉄心１２にコイルが巻回されてハウジング１１内に鉄心１２が固定された後、コイルの上端には、接着剤が流し込まれ、或いは、溶融したゴム、プラスチック、ナイロンが注入され、接着剤、ゴム、プラスチック又はナイロンが固まると、係止溝１７に係合されて、コイルがハウジング１１と鉄心１２との間に固定されるようになる。これにより、コイルが通電されて磁力が発生すると鉄心１２の軸方向に沿ってずれることが防止される。
【００２５】
本発明の好ましい実施例において、ハウジング１１の開口端の端縁にバッフル板が設けられており、これによっても、コイルが通電されて磁力が発生すると鉄心１２の軸方向に沿ってずれることが防止される。
【００２６】
鉄心１２の底部には、径方向内向きに延びた取付座板１４が設けられており、又は、鉄心１２の底部に設けられた底板１３がハウジング１１の外方まで更に延びて取付座板（図示せず）を構成する。或いは、ハウジング１１の底部には、径方向外向きに延びた取付座板と径方向内向きに延びた底板１３とが設けられ、底板１３が鉄心１２の底部を覆う（図示せず）。即ち、取付座板及び底板１３が、ハウジング１１の底部に設けられてもよく、鉄心１２の底部に設けられてもよい。
【００２７】
取付座板１４には、いくつかの取付穴１５が設けられており、取付穴１５がネジ無しの孔であり、電磁石をクラッチ等の他の機器に装着して使用する場合には、取付穴１５に螺子を捻じ込むことにより、電磁石を機器の使用位置に固定する。勿論、電磁石を機器に固定して使用できれば、他の固定方法を使用してもよい。
【００２８】
［実施例二］
図３〜図９に示すように、本発明の実施例二には、分割型電磁石が提供されており、前記分割型電磁石がハウジング２１と鉄心２２とを含み、鉄心２２にコイル３１が巻き付けられており、ハウジング２１と鉄心２２とが分割型であり、鉄心２２にコイル３１が巻回された後、鉄心２２がハウジング２１内に固定される。
【００２９】
本発明の実施例二において、ハウジング２１の横断面が扇形のリングである。或いは、電磁石の吸引面積を増大させるためにハウジング２１の縁にいくつかの突起が設けられ、ハウジング２１の横断面が概して依然として扇形のリングである。ハウジング２１の底部に底板２３が設けられ、或いは、鉄心２２の底部に、ハウジング２１の底部を覆う底板２３が設けられており、即ち、底板２３が、ハウジング２１の底部に設けられてもよく、鉄心２２の底部に設けられてもよい。鉄心２２が弧状構造である。勿論、ハウジング２１の横断面が矩形のリングとされ、それに応じて、鉄心２２が矩形構造（図示せず）とされるように設けられてもよく、或いは、ハウジング２１及び鉄心２２の横断面が略矩形のリングとされ、例えば矩形の四角に面取りが設けられてもよい。鉄心２２の底部とハウジング２１の底板２３との接続箇所には、いくつかのネジ穴２９が設けられており、鉄心２２にコイルが巻回された後、鉄心２２がいくつかの螺子３０によってハウジング２１内に固定される。勿論、鉄心２２をハウジング２１内に固定する目的を実現できれば、他の固定方法を使用してもよい。
【００３０】
ハウジング２１の側面に線通し穴２８又は線通し溝（図示せず）が設けられており、コイル３１のターミナルが線通し穴２８又は線通し溝を通る。線通し溝とは、ハウジング２１の開口端に開けられた切り欠きを指し、コイル３１のターミナルがこの切り欠き内に押し込まれて固定され、ターミナルが比較的に通り抜け易い。ターミナルが通り抜けられれば、線通し穴２８及び線通し溝の形状は、具体的なニーズに応じて設けてもよい。
【００３１】
ハウジング２１の底板２３には、さらに、二つの取付用位置決め孔２４が対称的に設けられており、取付用位置決め孔２４がネジ無しの孔である。鉄心２２の底部における取付用位置決め孔２４に対応する位置には、それにつき合わせた位置決めピン２５が設けられており、位置決めピン２５がスリーブピンであり、鉄心２２がハウジング２１内に固定されると、位置決めピン２５が鉄心２２の底部から突出する。一方では、鉄心２２をハウジング２１内に固定する場合、突出した位置決めピン２５によって、鉄心２２を所望の位置に位置決めするのが容易になる。他方では、電磁石をクラッチ等の他の機器に取り付けて使用する場合、機器の対応位置には、位置決めピン２５に適合した座ぐり穴が設けられており、突出した位置決めピン２５によって、電磁石を所望の位置に位置決めするのが容易になり、なお、位置決めピン２５がスリーブピンであるので、電磁石を機器に固定することができる。説明しておきたいのは、ここで、位置決めピン２５によって位置決めを実現しているが、勿論、具体的なニーズに応じて、インロー位置決めなどの他の位置決め方法を使用してもよい。
【００３２】
二つの取付用位置決め孔２４の間には、一つの取付穴２６がさらに設けられており、取付穴２６がネジ無しの孔であり、機器の対応位置には、ネジ穴が設けられており、取付穴２６及びネジ穴に螺子を捻じ込むことにより、電磁石がさらに固定される。勿論、電磁石を機器に固定して使用できれば、他の固定方法を使用してもよい。
【００３３】
ハウジング２１の内壁及び鉄心２２の外壁には、係止溝２７が周方向に沿って設けられており、係止溝２７の位置がコイルの上端に対応している。鉄心２２にコイルが巻回されてハウジング２１内に鉄心２２が固定された後、コイルの上端には、接着剤が流し込まれ、或いは、溶融したゴム、プラスチック、ナイロンが注入され、接着剤、ゴム、プラスチック又はナイロンが固まると、係止溝２７に係合されて、コイルがハウジング２１と鉄心２２との間に固定されるようになる。これにより、コイルが通電されて磁力が発生すると鉄心２２の軸方向に沿ってずれることが防止される。
【００３４】
本発明の好ましい実施例において、ハウジング２１の開口端の端縁にバッフル板が設けられており、これによっても、コイルが通電されて磁力が発生すると鉄心２２の軸方向に沿ってずれることが防止される。
【００３５】
ハウジング２１の横断面が扇形のリングであるいくつかの電磁石を組み合わせて電磁石ユニットが形成される。スペースが限られている場合には、例えば図１０に示すように、電磁クラッチにおいて、噛み合いギアの周りに電磁石を設ける必要がある時、噛み合いギア（４３、４４）の外周に二つの電磁石（４１、４２）を対称的に設けて、不完全な円形リングを形成することができ、二つの電磁石（４１、４２）は、噛み合いギア（４３、４４）の噛み合いを容易にするために、それらの間に一定の隙間を有する。
【００３６】
要約すると、本発明の実施例による有益な効果は、以下の通りになる。本発明の実施例には、分割型電磁石が提供されており、分割型電磁石が、ハウジングと鉄心とを含み、ハウジングと鉄心とが分割型であり、鉄心にコイルが巻回された後、鉄心がハウジング内に固定され、ハウジングが円筒体であり、或いは、ハウジングの横断面が扇形のリングであり、該電磁石は、ハウジングと鉄心とが一体型である従来技術に比べると、コイルの巻回がより便利になる。なお、電磁石のハウジングの横断面が扇形のリングである場合には、いくつかの電磁石を組み合わせて電磁石ユニットを形成しており、スペースが限られている場合、該電磁石ユニットを用いて電磁吸引を達成することができる。
【００３７】
上述したのは、あくまでも本発明の好ましい実施例であり、本発明の保護範囲を限定するものではない。本発明の精神及び原則内になされたいかなる補正、均等的置換、改善等、いずれも本発明の保護範囲内に含まれるものとする。
【図１】
2019532491.tif 000003
【図２】
2019532491.tif 000004
【図３】
2019532491.tif 000005
【図４】
2019532491.tif 000006
【図５】
2019532491.tif 000007
【図６】
2019532491.tif 000008
【図７】
2019532491.tif 000009
【図８】
2019532491.tif 000010
【図９】
2019532491.tif 000011
【図１０】
2019532491.tif 000012
【国際調査報告】
2019532491.tif 000013
2019532491.tif 000014
2019532491.tif 000015
2019532491.tif 000016